【手続補正書】
【提出日】平成17年10月27日(2005.10.27)
【手続補正１】
【補正対象書類名】明細書
【補正対象項目名】発明の名称
【補正方法】変更
【補正の内容】
【発明の名称】データ放送受信再生装置及びデータ放送受信再生方法
【手続補正２】
【補正対象書類名】明細書
【補正対象項目名】特許請求の範囲
【補正方法】変更
【補正の内容】
【特許請求の範囲】
【請求項１】
デジタル放送波を受信する受信手段と、
前記受信手段で受信したデジタル放送波から、コンテンツデータと当該コンテンツデータの印刷条件情報を含むテキストデータとを含むデータ放送データを取得するデータ取得手段と、
前記データ取得手段で取得したコンテンツデータの印刷条件の設定情報を前記テキストデータから取得する設定情報取得手段
とを有することを特徴とするデータ放送受信再生装置。
【請求項２】
更に、前記設定情報取得手段で取得した設定情報に基づいて、印刷可能なコンテンツデータを印刷装置に転送する処理を実行する転送手段を有することを特徴とする請求項１に記載のデータ放送受信再生装置。
【請求項３】
更に、印刷可能なコンテンツデータを描画する描画手段を有し、当該描画手段によって描画されたコンテンツデータを前記転送手段を用いて印刷装置に転送することを特徴とする請求項２に記載のデータ放送受信再生装置。
【請求項４】
更に、前記テキストデータに含まれる前記設定情報を変更する管理手段を有し、前記管理手段は、前記デジタル放送波に含まれるコマンド情報に基づいて、前記データ取得手段で取得済みのテキストデータに含まれる印刷条件の設定情報を変更することを特徴とする請求項１に記載のデータ放送受信再生装置。
【請求項５】
前記コマンド情報は前記デジタル放送波に含まれる放送イベントとともに送信され、前記管理手段は前記放送イベントの実行に応じて前記コマンド情報に基づいた制御を実行することを特徴とする請求項４に記載のデータ放送受信再生装置。
【請求項６】
更に、前記テキストデータに含まれる前記設定情報を変更する管理手段を有し、前記管理手段は、ユーザによる指示に基づいて、前記データ取得手段で取得済みのテキストデータに含まれる印刷条件の設定情報を変更することを特徴とする請求項１に記載のデータ放送受信再生装置。
【請求項７】
前記管理手段は、前記印刷条件の設定情報を変更するとともに、当該コンテンツデータの表示条件設定の情報を変更することを特徴とする請求項６に記載のデータ放送受信再生装置。
【請求項８】
前記管理手段は、前記印刷条件の設定情報において印刷許可の設定情報を有し、かつ課金対象の設定情報を有するコンテンツデータが存在する場合には、当該コンテンツデータの課金額を算出することを特徴とする請求項６に記載のデータ放送受信再生装置。
【請求項９】
更に、
前記コンテンツデータの印刷条件設定を予め指定するための入力手段と、
前記入力手段で入力された印刷条件と、前記設定情報取得手段で取得した設定情報とに基づいて、前記データ取得手段で取得したコンテンツデータの印刷許可を判定する管理手段
とを有することを特徴とする請求項１に記載のデータ放送受信再生装置。
【請求項１０】
デジタル放送波を受信する受信工程と、
前記受信工程で受信したデジタル放送波から、コンテンツデータと当該コンテンツデータの印刷条件情報を含むテキストデータとを含むデータ放送データを取得するデータ取得工程と、
前記データ取得工程で取得したコンテンツデータの印刷条件の設定情報を前記テキストデータから取得する設定情報取得工程
とを有することを特徴とするデータ放送受信再生方法。
【請求項１１】
更に、前記設定情報取得工程で取得した設定情報に基づいて、印刷可能なコンテンツデータを印刷装置に転送する処理を実行する転送工程を有することを特徴とする請求項１０に記載のデータ放送受信再生方法。
【請求項１２】
更に、印刷可能なコンテンツデータを描画する描画工程を有し、当該描画工程によって描画されたコンテンツデータを前記転送工程にて印刷装置に転送することを特徴とする請求項１１に記載のデータ放送受信再生方法。
【請求項１３】
更に、前記テキストデータに含まれる前記設定情報を変更する管理工程を有し、前記管理工程は、前記デジタル放送波に含まれるコマンド情報に基づいて、前記データ取得工程で取得済みのテキストデータに含まれる印刷条件の設定情報を変更することを特徴とする請求項１０に記載のデータ放送受信再生方法。
【請求項１４】
前記コマンド情報は前記デジタル放送波に含まれる放送イベントとともに送信され、前記管理工程は前記放送イベントの実行に応じて前記コマンド情報に基づいた制御を実行することを特徴とする請求項１３に記載のデータ放送受信再生方法。
【請求項１５】
更に、前記テキストデータに含まれる前記設定情報を変更する管理工程を有し、前記管理工程は、ユーザによる指示に基づいて、前記データ取得工程で取得済みのテキストデータに含まれる印刷条件の設定情報を変更することを特徴とする請求項１０に記載のデータ放送受信再生方法。
【請求項１６】
前記管理工程は、前記印刷条件の設定情報を変更するとともに、当該コンテンツデータの表示条件設定の情報を変更することを特徴とする請求項１５に記載のデータ放送受信再生方法。
【請求項１７】
前記管理工程は、前記印刷条件の設定情報において印刷許可の設定情報を有し、かつ課金対象の設定情報を有するコンテンツデータが存在する場合には、当該コンテンツデータの課金額を算出することを特徴とする請求項１５に記載のデータ放送受信再生方法。
【請求項１８】
更に、
前記コンテンツデータの印刷条件設定を予め指定するための入力工程と、
前記入力工程で入力された印刷条件と、前記設定情報取得工程で取得した設定情報とに基づいて、前記データ取得工程で取得したコンテンツデータの印刷許可を判定する管理工程
とを有することを特徴とする請求項１０に記載のデータ放送受信再生方法。
【手続補正３】
【補正対象書類名】明細書
【補正対象項目名】０００１
【補正方法】変更
【補正の内容】
【０００１】
【発明の属する技術分野】
本発明は、データ放送受信再生装置及びデータ放送受信再生方法に関し、より具体的には、文字・画像・音声・映像などが多重化されたデータ放送コンテンツを受信し、表示、再生及び印刷処理を実行するデータ放送受信再生装置及びデータ放送受信再生方法に関する。
【手続補正４】
【補正対象書類名】明細書
【補正対象項目名】００１７
【補正方法】変更
【補正の内容】
【００１７】
【課題を解決するための手段】
本発明に係るデータ放送受信再生装置は、デジタル放送波を受信する受信手段と、前記受信手段で受信したデジタル放送波から、コンテンツデータと当該コンテンツデータの印刷条件情報を含むテキストデータとを含むデータ放送データを取得するデータ取得手段と、前記データ取得手段で取得したコンテンツデータの印刷条件の設定情報を前記テキストデータから取得する設定情報取得手段とを有することを特徴とする。
本発明に係るデータ放送受信再生方法は、デジタル放送波を受信する受信工程と、前記受信工程で受信したデジタル放送波から、コンテンツデータと当該コンテンツデータの印刷条件情報を含むテキストデータとを含むデータ放送データを取得するデータ取得工程と、前記データ取得工程で取得したコンテンツデータの印刷条件の設定情報を前記テキストデータから取得する設定情報取得工程とを有することを特徴とする。